(57)【特許請求の範囲】
【請求項１】
無線端末装置と無線通信を行う複数の無線基地局装置と、前記無線基地局装置に接続される無線基地局制御装置とを有する移動通信システムであって、
前記無線基地局制御装置は、
前記無線端末装置がハンドオーバする準備契機を判断するハンドオーバ準備契機検出手段と、
前記無線端末装置がハンドオーバする契機を判断するハンドオーバ契機検出手段と、
前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段とを具備することを特徴とする移動通信システム。
【請求項２】
無線端末装置と無線通信を行う複数の無線基地局装置と、前記無線基地局装置に接続される無線基地局制御装置とを有する移動通信システムであって、
前記無線基地局装置は、
前記無線端末装置がハンドオーバする準備契機を判断するハンドオーバ準備契機検出手段と、
前記無線端末装置がハンドオーバする契機を判断するハンドオーバ契機検出手段とを備え、
前記無線基地局制御装置は、
前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段とを具備することを特徴とする移動通信システム。
【請求項３】
前記無線基地局制御装置は、
前記無線基地局制御装置に接続される無線基地局装置毎に、前記無線端末装置のハンドオーバ履歴を基地局位置情報として記憶する基地局位置情報テーブルと、
無線端末装置がハンドオーバするに伴って前記基地局位置情報テーブルを更新する基地局情報管理手段と
を備えることを特徴とする請求項１又は請求項２に記載の移動通信システム。
【請求項４】
前記基地局位置情報は、ハンドオーバ先に決定された無線基地局装置の選択率であり、
前記ハンドオーバ制御手段は、前記基地局位置情報テーブルに記憶された、選択率が最も高い前記無線基地局装置を選択してハンドオーバを指示することを特徴とする請求項３に記載の移動通信システム。
【請求項５】
前記基地局位置情報は、ハンドオーバ先に決定された無線基地局装置の選択回数であり、
前記ハンドオーバ制御手段は、前記基地局位置情報テーブルに記憶された、選択回数が最も多い前記無線基地局装置を選択してハンドオーバを指示することを特徴とする請求項３に記載の移動通信システム。
【請求項６】
前記無線基地局制御装置は、
前記無線基地局制御装置に接続される無線基地局装置毎に残りの無線リソースを記憶し前記基地局情報管理手段によって更新される基地局残リソーステーブルをさらに備え、
前記ハンドオーバ制御手段は、前記基地局位置情報テーブルに記憶された、ハンドオーバ先候補となる複数の無線基地局装置を選択し、前記基地局残リソーステーブルを参照して前記複数の無線基地局装置のうち、残リソースが最も多い無線基地局装置をハンドオーバ先と決定してハンドオーバを指示することを特徴とする請求項３に記載の移動通信システム。
【請求項７】
無線端末装置と無線通信を行う複数の無線基地局装置と、前記複数の無線基地局装置に接続される無線基地局制御装置を有する移動通信システムの無線基地局制御装置であって、
前記無線端末装置がハンドオーバする準備契機を判断するハンドオーバ準備契機検出手段と、
前記無線端末装置がハンドオーバする契機を判断するハンドオーバ契機検出手段と、
前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段を備えることを特徴とする無線基地局制御装置。
【請求項８】
無線端末装置と無線通信を行うとともに、前記無線端末装置がハンドオーバする準備契機を判断するハンドオーバ準備契機検出手段と、前記無線端末装置がハンドオーバする契機を判断するハンドオーバ契機検出手段と、を備える複数の無線基地局装置と、前記複数の無線基地局装置に接続される無線基地局制御装置を有する移動通信システムの無線基地局制御装置であって、
前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段を備えることを特徴とする無線基地局制御装置。
【請求項９】
前記無線基地局制御装置に接続される無線基地局装置毎に、前記無線端末装置のハンドオーバ履歴を基地局位置情報として記憶する基地局位置情報テーブルと、
無線端末装置がハンドオーバするに伴って前記基地局位置情報テーブルを更新する基地局情報管理手段と
を備えることを特徴とする請求項７又は請求項８に記載の無線基地局制御装置。
【請求項１０】
前記基地局位置情報は、ハンドオーバ先に決定された無線基地局装置の選択率であり、
前記ハンドオーバ制御手段は、前記基地局位置情報テーブルに記憶された、選択率が最も高い前記無線基地局装置を選択してハンドオーバを指示することを特徴とする請求項９に記載の無線基地局制御装置。
【請求項１１】
前記基地局位置情報は、ハンドオーバ先に決定された無線基地局装置の選択回数であり、
前記ハンドオーバ制御手段は、前記基地局位置情報テーブルに記憶された、選択回数が最も多い前記無線基地局装置を選択してハンドオーバを指示することを特徴とする請求項９に記載の無線基地局制御装置。
【請求項１２】
前記無線基地局制御装置に接続される無線基地局装置毎に残りの無線リソースを記憶し前記基地局情報管理手段によって更新される基地局残リソーステーブルをさらに備え、
前記ハンドオーバ制御手段は、前記基地局位置情報テーブルに記憶された、ハンドオーバ先候補となる複数の無線基地局装置を選択し、前記基地局残リソーステーブルを参照して前記複数の無線基地局装置のうち、残リソースが最も多い無線基地局装置をハンドオーバ先と決定してハンドオーバを指示することを特徴とする請求項９に記載の無線基地局制御装置。
【請求項１３】
移動通信システムに備えられる無線基地局制御装置において用いられるプログラムであって、
無線端末装置のハンドオーバ履歴を基地局位置情報として、基地局位置情報テーブルに記憶する基地局情報管理機能と、
前記無線端末装置がハンドオーバする準備契機を判断するハンドオーバ準備契機検出機能と、
前記無線端末装置がハンドオーバする契機を判断するハンドオーバ契機検出機能と、
前記ハンドオーバ準備契機検出手段により検出される前記ハンドオーバ準備契機に基づき、前記基地局情報管理機能によって記憶された前記基地局位置情報を基に前記無線端末装置のハンドオーバ先基地局装置を決定するハンドオーバ先無線基地局装置決定機能と、
前記ハンドオーバ先無線基地局装置決定機能によって決定された無線基地局装置と当該無線基地局制御装置との間の呼を接続し、前記ハンドオーバ契機検出手段により検出される前記ハンドオーバ契機に基づき前記無線端末装置に対して前記無線基地局装置へハンドオーバすることを指示するハンドオーバ制御機能と
を備えることを特徴とする移動通信システム用プログラム。
【請求項１４】
無線端末装置がハンドオーバする準備契機及び前記無線端末装置がハンドオーバする契機を判断する複数の無線基地局装置と、前記複数の無線基地局と通信する無線基地局制御装置とを有する移動通信システムの無線基地局制御装置において用いられるプログラムであって、
無線端末装置のハンドオーバ履歴を基地局位置情報として、基地局位置情報テーブルに記憶する基地局情報管理機能と、
前記ハンドオーバ準備契機検出手段により検出される前記ハンドオーバ準備契機に基づき、前記基地局情報管理機能によって記憶された前記基地局位置情報を基に前記無線端末装置のハンドオーバ先基地局装置を決定するハンドオーバ先無線基地局装置決定機能と、
前記ハンドオーバ先無線基地局装置決定機能によって決定された無線基地局装置と当該無線基地局制御装置との間の呼を接続し、前記ハンドオーバ契機検出手段により検出される前記ハンドオーバ契機に基づき前記無線端末装置に対して前記無線基地局装置へハンドオーバすることを指示するハンドオーバ制御機能と
を備えることを特徴とする移動通信システム用プログラム。
【請求項１５】
前記基地局位置情報は、ハンドオーバ先に決定された前記無線基地局装置の選択率であり、
前記基地局情報管理機能によって前記基地局位置情報テーブルに記憶されたハンドオーバ先候補の前記無線基地局装置を前記選択率の高い順に並べる機能と
を備え、
前記基地局情報管理機能は、前記ハンドオーバ制御機能によってハンドオーバが成功すると、前記無線基地局装置の選択率を更新する機能を備えることを特徴とする請求項１３又は請求項１４に記載の移動通信システム用プログラム。
【請求項１６】
前記基地局位置情報は、ハンドオーバ先に決定された前記無線基地局装置の選択回数であり、
前記基地局情報管理機能によって前記基地局位置情報テーブルに記憶されたハンドオーバ先候補の前記無線基地局装置を前記選択回数の多い順に並べる機能と
を備え、
前記基地局情報管理機能は、前記ハンドオーバ制御機能によってハンドオーバが成功すると、前記無線基地局装置の選択回数を更新する機能を備えることを特徴とする請求項１３又は請求項１４に記載の移動通信システム用プログラム。
【請求項１７】
前記基地局情報管理機能は、前記無線基地局制御装置に接続される無線基地局装置毎に残りの無線リソースを記憶する基地局残リソーステーブルを更新し、
前記ハンドオーバ制御機能は、前記基地局位置情報テーブルに記憶された、ハンドオーバ先候補となる複数の無線基地局装置を選択し、前記基地局残リソーステーブルを参照して前記複数の無線基地局装置のうち、残リソースが最も多い無線基地局装置をハンドオーバ先と決定してハンドオーバを指示することを特徴とする請求項１３又は請求項１４に記載の移動通信システム用プログラム。
【請求項１８】
前記基地局情報管理機能は、前記ハンドオーバ制御機能ハンドオーバが成功するとハンドオーバ先である前記無線基地局装置が前記基地局位置情報テーブルに記憶されているか否かを判断し、記憶されていない場合は前記無線基地局装置の情報を前記基地局位置情報テーブルに追加して記憶することを特徴とする請求項１５乃至請求項１７の何れか１項に記載の移動通信システム用プログラム。
【請求項１９】
無線端末装置と無線通信を行う複数の無線基地局装置と、
前記無線基地局装置を含む加入者網に接続され、
前記無線端末装置がハンドオーバする準備契機を判断するハンドオーバ準備契機検出手段と、
前記無線端末装置がハンドオーバする契機を判断するハンドオーバ契機検出手段と、
前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段とを備える無線基地局制御装置と
を有する移動通信システムと通信する無線端末装置であって、
前記無線基地局制御装置により選択されたハンドオーバ先となる無線基地局装置の情報を含むハンドオーバを指示する通知を受信する受信手段と、
前記受信手段で受信したハンドオーバを指示する通知に含まれる無線基地局装置の情報を基に、前記無線基地局装置へハンドオーバを要求する呼接続手段と
を具備することを特徴とする無線端末装置。
【請求項２０】
無線端末装置と無線通信を行う複数の無線基地局装置と、
前記無線基地局装置を含む加入者網に接続され、
前記無線端末装置がハンドオーバする準備契機を判断するハンドオーバ準備契機検出手段と、
前記無線端末装置がハンドオーバする契機を判断するハンドオーバ契機検出手段と
を備える無線基地局装置と、
前記ハンドオーバ準備契機検出手段により検出される前記ハンドオーバ準備契機に基づき前記無線端末装置がハンドオーバする無無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段と
を備える無線基地局制御装置と
を有する移動通信システムと通信する無線端末装置であって、
前記無線基地局制御装置により選択されたハンドオーバ先となる無線基地局装置の情報を含むハンドオーバを指示する通知を受信する受信手段と、
前記受信手段で受信したハンドオーバを指示する通知に含まれる無線基地局装置の情報を基に、前記無線基地局装置へハンドオーバを要求する呼接続手段と
を具備することを特徴とする無線端末装置。
【発明の詳細な説明】
【技術分野】
【０００１】
本発明は、無線基地局装置と無線基地局制御装置を備える移動通信システムにおける無線端末装置のハンドオーバに関する。
【背景技術】
【０００２】
現在の移動通信システムは複数の無線基地局装置を有し、各無線基地局は無線端末装置と通信が可能なエリアを有し、ある無線端末装置が、通信している無線基地局装置のエリア外へ移動する場合、無線端末装置は、通信可能なエリアを有する他の無線基地局装置へ、無線基地局装置の切り替えを行う。これをハンドオーバという。
【０００３】
ＰＨＳ等の移動通信システムでは、無線基地局装置を設置する際に、置局設計を行っておらず、基地局が自律で干渉を回避して通信する方式が採用されている。この方式の場合、その性質上無線基地局や無線基地局制御装置は無線端末装置の絶対位置を把握しておらず、そのため、無線端末装置の移動に伴うハンドオーバを行う際は、無線端末装置が通信劣化を判断して、無線端末装置から無線基地局装置へ再発呼を行う無線端末装置主導のハンドオーバ方式を採用している。（例えば、特許文献１。）そのため、無線端末装置はハンドオーバ先とする他の無線基地局装置にハンドオーバ要求を送信する。その無線基地局装置と無線端末装置とが呼接続されている電波の強度やその無線基地局装置の残リソースによってハンドオーバ可能か不可能かが決定されるため、ハンドオーバ先無線基地局が決定できない場合は繰り返し無線基地局装置へハンドオーバ要求をしなくてはならず、ハンドオーバ要求からハンドオーバ成功までに長い時間がかかる。
【０００４】
従って、ハンドオーバは無線端末装置の電波強度受信感度やハンドオーバ先を探索してハンドオーバ要求する機能など個々の無線端末装置の性能に大きく依存するため、無線端末装置が高速な移動を行う場合はハンドオーバが遅れ通信が切れてしまうという問題が発生する。
【特許文献１】特開２００５−２７１１９号公報
【発明の開示】
【発明が解決しようとする課題】
【０００５】
本発明は、上記問題点を解決するためになされたもので、ハンドオーバ先無線基地局装置の決定を移動通信システムに備えられた無線基地局制御装置が行うことにより、ハンドオーバ要求からハンドオーバが成功するまでの時間を短縮し、高速なハンドオーバが可能な移動通信システム、無線基地局制御装置、無線端末装置、および移動通信システム用プログラムを提供することを目的とする。
【課題を解決するための手段】
【０００６】
上記目的を達成するために、本発明による移動通信システムは、無線端末装置と無線通信を行う複数の無線基地局装置と、前記無線基地局装置に接続される無線基地局制御装置とを有する移動通信システムであって、前記無線基地局制御装置は、前記無線端末装置がハンドオーバする準備契機を判断するハンドオーバ準備契機検出手段と、前記無線端末装置がハンドオーバする契機を判断するハンドオーバ契機検出手段と、前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段とを具備することを特徴とする。
【０００７】
上記目的を達成するために、本発明による無線基地局制御装置は、無線端末装置と無線通信を行う複数の無線基地局装置と、前記複数の無線基地局装置に接続される無線基地局制御装置を有する移動通信システムの無線基地局制御装置であって、前記無線端末装置がハンドオーバする準備契機を判断するハンドオーバ準備契機検出手段と、前記無線端末装置がハンドオーバする契機を判断するハンドオーバ契機検出手段と、前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段を備えることを特徴とする。
【０００８】
上記目的を達成するために、本発明による移動通信システム用プログラムは、移動通信システムに備えられる無線基地局制御装置において用いられるプログラムであって、無線端末装置のハンドオーバ履歴を基地局位置情報として、基地局位置情報テーブルに記憶する基地局情報管理機能と、前記無線端末装置がハンドオーバする準備契機を判断するハンドオーバ準備契機検出機能と、前記無線端末装置がハンドオーバする契機を判断するハンドオーバ契機検出機能と、前記ハンドオーバ準備契機検出手段により検出される前記ハンドオーバ準備契機に基づき、前記基地局情報管理機能によって記憶された前記基地局位置情報を基に前記無線端末装置のハンドオーバ先基地局装置を決定するハンドオーバ先無線基地局装置決定機能と、前記ハンドオーバ先無線基地局装置決定機能によって決定された無線基地局装置と当該無線基地局制御装置との間の呼を接続し、前記ハンドオーバ契機検出手段により検出される前記ハンドオーバ契機に基づき前記無線端末装置に対して前記無線基地局装置へハンドオーバすることを指示するハンドオーバ制御機能とを備えることを特徴とする。
【０００９】
上記目的を達成するために、本発明による無線端末装置は、無線端末装置と無線通信を行う複数の無線基地局装置と、  前記無線基地局装置を含む加入者網に接続され、前記無線端末装置がハンドオーバする準備契機を判断するハンドオーバ準備契機検出手段と、前記無線端末装置がハンドオーバする契機を判断するハンドオーバ契機検出手段と、前記ハンドオーバ準備契機検出手段により検出される前記ハンドオーバ準備契機に基づき前記無線端末装置がハンドオーバする無線基地局装置を決定して前記決定された無線基地局装置と当該無線基地局制御装置との間の呼を接続し、前記ハンドオーバ契機検出手段により検出される前記ハンドオーバ契機に基づきハンドオーバを指示するハンドオーバ制御手段とを備える無線基地局制御装置とを有する移動通信システムと通信する無線端末装置であって、前記無線基地局制御装置により選択されたハンドオーバ先となる無線基地局装置の情報を含むハンドオーバを指示する通知を受信する受信手段と、前記受信手段で受信したハンドオーバを指示する通知に含まれる無線基地局装置の情報を基に、前記無線基地局装置へハンドオーバを要求する呼接続手段とを具備することを特徴とする。
【発明の効果】
【００１０】
本発明によれば、無線端末装置ではなく無線基地局制御装置がハンドオーバ先の無線基地局装置を決定し、無線端末装置に対してハンドオーバ先を指示してハンドオーバを行うことにより、ハンドオーバ要求からハンドオーバが成功するまでの時間を短縮可能で、高速なハンドオーバを実現することができる。
【発明を実施するための最良の形態】
【００１１】
以下、本発明の実施例を図面を参照して説明する。
【実施例１】
【００１２】
図１は、本発明に係る移動通信システムＳの実施の形態を示すシステム全体図である。図１において、ＩＰ網２と公衆網３に無線基地局制御装置１が接続され、無線端末装置ＰＳと通信する移動通信システムＳを実現するために、無線基地局制御装置１に無線基地局装置ＣＳが接続される。無線端末装置ＰＳは、無線プロトコルを介して無線基地局装置ＣＳと接続し、無線基地局装置ＣＳを制御する無線基地局制御装置１を通して、携帯電話やＰＨＳなどの無線端末装置ＰＳや固定電話機５との通信やインターネット４との接続を行う。この無線端末装置ＰＳは、パソコンやＰＤＡなど各種コンピュータに接続されていてもよい。
【００１３】
図２は、移動通信システムＳに備えられた無線基地局制御装置１の構成を示すブロック図である。
【００１４】
無線基地局制御装置１には、送受信部Ｐ１１、ＣＰＵ  Ｐ１２、メモリＰ１３が備えられている。ＣＰＵ  Ｐ１２には、送受信部Ｐ１１で受信したデータを処理する受信データ処理部Ｐ１２ａと、ハンドオーバ先の無線基地局装置ＣＳを選択する処理を行うハンドオーバ先無線基地局装置選択部Ｐ１２ｂとが備えられている。メモリＰ１３には、ハンドオーバ先無線基地局装置選択部Ｐ１２ｂがハンドオーバ先の無線基地局装置ＣＳを選択する際に参照する、無線基地局装置ＣＳ同士の位置関係に関わる情報を示すＣＳ位置情報テーブル１０を記憶するＣＳ位置情報テーブル記憶部Ｐ１３ａと、夫々の無線基地局装置ＣＳの無線リソースがどれだけ残っているかを示すＣＳ残リソースを示すＣＳ残リソーステーブルを記憶するＣＳ残リソーステーブル記憶部Ｐ１３ｂとが備えられている。
【００１５】
送受信部Ｐ１１が無線基地局装置ＣＳからデータを受信すると、受信データは受信データ処理部Ｐ１２ａへデータが送られ処理される。受信データがハンドオーバを実施すべき情報を含んでいる場合には、ハンドオーバ先無線基地局装置選択部Ｐ１２ｂがメモリＰ１３に記憶されているＣＳ位置情報テーブル記憶部Ｐ１３ａを参照して無線端末装置ＰＳのハンドオーバ先無線基地局装置ＣＳを導出するようになっている。
【００１６】
図３は、移動通信システムＳの一実施の形態を示すシステム構成手段の機能ブロック図である。本実施例では、無線基地局制御装置１がハンドオーバ契機を検出する場合について説明する。
【００１７】
図３において、無線端末装置ＰＳには、呼を接続するための呼接続手段６および無線基地局装置ＣＳから送られてくる情報を受信する受信手段６ａが設けられている。無線基地局制御装置１には、呼を接続するための呼接続手段６、ハンドオーバの契機を検出するハンドオーバ契機検出手段８、ハンドオーバ先を導出しハンドオーバを指示するハンドオーバ制御手段９、無線基地局装置の隣接基地局装置の位置情報を記憶するＣＳ位置情報テーブル１０、およびＣＳ位置情報テーブルやＣＳ残リソーステーブルを更新する等の管理を行うＣＳ情報管理手段１１が設けられている。無線基地局装置ＣＳには呼を接続するための呼接続手段６、および無線端末装置ＰＳからの電波強度を計測する電波強度計測手段７が設けられる。無線基地局制御装置１に、ハンドオーバ契機検出手段８、およびハンドオーバ制御手段９が設けられているため、無線基地局制御装置１の主導により無線端末装置のハンドオーバを実現することができるようになっている。無線基地局制御装置１と無線基地局装置ＣＳの間の接続は、本実施例では有線で接続されているが無線で接続されていてもよい。本実施例の無線基地局制御装置１は、ゲートウェイ装置を用いて構成することができる。
【００１８】
図４および図５を参照して、の無線基地局制御装置１に備えられたＣＳ位置情報テーブル１０の一例について説明する。
【００１９】
図４は、無線基地局装置ＣＳ同士の位置関係に係る情報であるＣＳ位置情報が、ハンドオーバ先として選択された無線基地局装置ＣＳの選択率で表記したものである。図４の一列目には、ハンドオーバ元の無線基地局装置ＣＳが表記され、二列目以降には、ハンドオーバ元の無線基地局装置ＣＳからハンドオーバする際に、ハンドオーバ先として選択された無線基地局装置ＣＳとその選択率を表記したものである。このＣＳ位置情報は、無線基地局装置ＣＳの選択率の高い順にハンドオーバ先候補として並べてある。
【００２０】
例えば、ハンドオーバ元無線基地局装置が無線基地局装置ＣＳ１の場合、ハンドオーバ先として第一候補となっている無線基地局装置は、無線基地局装置ＣＳ２であり、無線基地局装置ＣＳ１からハンドオーバする際に、ハンドオーバ先として無線基地局装置ＣＳ２が選択された割合である選択率が、４０％であることが示されている。また、第二候補として、選択率３３％である無線基地局装置ＣＳ３が示されている。第三候補は、選択率２０％の無線基地局装置ＣＳ４、第四候補は、選択率７％の無線基地局装置ＣＳ５と示されている。なお、ハンドオーバ元無線基地局装置が無線基地局装置ＣＳ２、…、ＣＳｎの場合も、ハンドオーバ元無線基地局装置が無線基地局装置ＣＳ１の場合と同様に、ハンドオーバ先候補の無線基地局装置ＣＳがその選択率と共に示されているものである。
【００２１】
なお、このＣＳ位置情報テーブルは、ハンドオーバが成功する度に、成功したハンドオーバの情報を含めた情報にするため、ＣＳ情報管理手段１１によって更新されるようになっている。
【００２２】
図５は、無線基地局装置ＣＳ同士の位置関係に係る情報であるＣＳ位置情報が、ハンドオーバ先として選択された無線基地局装置ＣＳの選択回数で表記したものである。図５の一列目には、ハンドオーバ元の無線基地局装置ＣＳが表記され、二列目以降には、ハンドオーバ元の無線基地局装置ＣＳからハンドオーバする際に、ハンドオーバ先として選択された無線基地局装置ＣＳとその選択回数を表記したものである。このＣＳ位置情報は、無線基地局装置ＣＳの選択回数の高い順にハンドオーバ先候補として並べてある。
【００２３】
例えば、ハンドオーバ元無線基地局装置が無線基地局装置ＣＳ１の場合、ハンドオーバ先として第一候補となっている無線基地局装置は、無線基地局装置ＣＳ２であり、無線基地局装置ＣＳ１からハンドオーバする際に、ハンドオーバ先として無線基地局装置ＣＳ２が選択された回数である選択回数が、９６回であることが示されている。また、第二候補として、選択回数７１回である無線基地局装置ＣＳ３が示されている。第三候補は、選択回数２８回の無線基地局装置ＣＳ４、第四候補は、選択回数１１回の無線基地局装置ＣＳ５と示されている。なお、ハンドオーバ元無線基地局装置が無線基地局装置ＣＳ２、…、ＣＳｎの場合も、ハンドオーバ元無線基地局装置が無線基地局装置ＣＳ１の場合と同様に、ハンドオーバ先候補の無線基地局装置ＣＳがその選択回数と共に示されているものである。
【００２４】
なお、このＣＳ位置情報テーブルは、図４と同様に、ハンドオーバが成功する度に、成功したハンドオーバの情報を含めた情報にするためＣＳ情報管理手段１１によって更新されるようになっている。
【００２５】
なお、ＣＳ位置情報テーブル１０は、ハンドオーバ候補の無線基地局装置ＣＳの情報と共に、その無線基地局装置ＣＳの残りの無線リソースである残リソース数を記載するものであってもよい。
【００２６】
図６は、無線基地局制御装置１に備えられているＣＳ残リソーステーブル記憶部Ｐ１３ｂに記憶されているＣＳ残リソーステーブルの一例を示したものである。
【００２７】
ＣＳ残リソーステーブルには、無線基地局制御装置１が制御する無線基地局装置ＣＳ毎に、無線基地局装置ＣＳが無線端末装置ＰＳに割当することができる無線リソースである残リソースが記憶されている。例えば、無線基地局装置ＣＳ１の残リソースは、３０と示されている。これは、３０台の無線端末装置ＰＳへ割当することができる無線リソースであることを示している。また、無線基地局装置ＣＳ２の残リソースは無線端末装置ＰＳの２５台分、無線基地局装置ＣＳ３の残リソースは無線端末装置ＰＳの４台分である。その他の無線基地局装置ＣＳについても、同様に表記する。
【００２８】
なお、この残リソースの表記方法は、割当することができる無線端末装置ＰＳの数だけに限定するものではなく、無線リソースを例えばＭｂｐｓ等の単位で表記してもよい。
【００２９】
次に、図７を参照して、移動通信システムＳ全体の処理について説明する。図７は、無線基地局制御装置１がハンドオーバ契機を検出してハンドオーバ先を導出する処理について示したシーケンス図である。
【００３０】
無線基地局装置ＣＳ１と無線端末装置ＰＳとが、無線基地局装置ＣＳ1と無線基地局制御装置とが、それぞれ呼接続されているとき（Ｓ１０１、Ｓ１０２）、無線基地局装置ＣＳ１が受信する無線端末装置ＰＳの電波強度を無線基地局装置ＣＳ１が計測する。電波強度計測手段７によって計測された電波強度のデータは無線基地局制御装置１へ送られ（Ｓ１０３、Ｓ１０４）、無線基地局制御装置１に備えられたハンドオーバ契機検出手段８によってハンドオーバの契機を検出する。  
ハンドオーバ契機検出手段８は、ハンドオーバの契機である第一の電波強度閾値を下回ったか否かを判断し、下回ったと判断するとハンドオーバ契機を検出したことをハンドオーバ制御手段９へ送信する。第一の電波強度閾値の使用法としては、第一の電波強度閾値以下であっても第一の電波強度閾値未満であってもよい。（以降、電波強度閾値の使用法は同義とする。）
ハンドオーバ契機を検出したハンドオーバ制御手段は、ＣＳ位置情報テーブル１０を参照して、第一候補の無線基地局装置ＣＳ、すなわち選択率が高いまたは選択回数が多い無線基地局装置ＣＳを選択し、更にＣＳ残リソーステーブルを参照して、残リソースが有ることを確認してハンドオーバ先無線基地局装置ＣＳを決定する（Ｓ１０５）。
【００３１】
本実施例ではハンドオーバ先としてＣＳ位置情報テーブル１０を参照して最も選択率が高い（または選択回数が多い）無線基地局装置ＣＳ２が選択され、ＣＳ残リソーステーブルを参照してその無線基地局装置ＣＳ２の残リソースが有ることが確認され、無線基地局装置ＣＳ２がハンドオーバ先として決定される。ここで、残リソースが無い場合には、ＣＳ位置情報テーブル１０を参照して、次に選択率の高い（または選択回数の多い）無線基地局装置ＣＳ３が選択され、ＣＳ残リソーステーブルを参照して無線基地局装置ＣＳ３の残リソースが有ることを確認して無線基地局装置ＣＳ３がハンドオーバ先として決定される。
【００３２】
無線基地局制御装置１は、無線基地局装置ＣＳ２へハンドオーバすることを無線端末装置ＰＳへ指示し（Ｓ１０６）、無線端末装置ＰＳは無線基地局装置ＣＳ２へ接続要求する（Ｓ１０７）。この要求を受信した無線基地局装置ＣＳ２は、無線端末装置ＰＳへ接続応答を送信し（Ｓ１０８）、無線端末装置ＰＳと無線基地局装置ＣＳ２との呼が接続される。このとき、無線基地局制御装置１と無線基地局装置ＣＳ２の呼接続もされ（Ｓ１１０）、無線基地局装置ＣＳ２は無線基地局制御装置１へハンドオーバ成功通知を送信する（Ｓ１１１）。ハンドオーバ成功通知を無線基地局制御装置１が受信すると、ＣＳ位置情報テーブル１０に記載されている無線基地局装置ＣＳ１から無線基地局装置ＣＳ２へのハンドオーバに関するＣＳ位置情報（選択率または選択回数）の数値をＣＳ情報管理手段１１が更新し、数値の高い順に並べ替える。また、このハンドオーバに伴ってハンドオーバ前の無線基地局装置ＣＳ１の残リソースとハンドオーバ後の無線基地局装置ＣＳ２の残リソースが変化するので、ＣＳ情報管理手段１１はＣＳ残リソーステーブルの数値も更新する。
【００３３】
なお、本実施例では無線基地局制御装置１が主導してハンドオーバ先を決定するようにしているが、既存の移動通信システムで行われているように、無線端末装置ＰＳが受信した電波強度の最も強い無線基地局装置ＣＳへハンドオーバ要求を通知して、無線端末装置ＰＳ主導でのハンドオーバが併用されてもよい。この場合は、ＣＳ位置情報テーブル１０に記載されていない無線基地局装置ＣＳへハンドオーバする場合がある。このようにＣＳ位置情報テーブル１０に記載されていない場合には、ハンドオーバ先の無線基地局装置ＣＳに関するＣＳ位置情報をＣＳ位置情報テーブル１０の候補の最後に追加することで、ＣＳ位置情報テーブル１０を更新する。
【００３４】
図８は、無線基地局制御装置１が行うハンドオーバ先を決定する処理を示すフローチャートである。
【００３５】
無線基地局制御装置１に備えられた送受信部Ｐ１１が、無線端末装置ＰＳと無線基地局装置ＣＳ１とを呼接続する電波の強度を受信すると、受信データ処理部Ｐ１２ａへデータが送られ、ハンドオーバ契機検出手段によって、第一の電波強度閾値を下回ったか否かを判断し、ハンドオーバ契機となったことを検出する（Ｆ１０１）。ハンドオーバ契機を検出すると、ＣＰＵ  Ｐ１２に備えられたハンドオーバ先無線基地局装置選択部Ｐ１２ｂがメモリＰ１３に記憶されたＣＳ位置情報テーブル１０を参照して、無線端末装置ＰＳのハンドオーバ先無線基地局装置ＣＳを選択し、ＣＳ残リソーステーブルを参照して、ハンドオーバ先無線基地局装置ＣＳの残リソースが有ることを確認してハンドオーバ先無線基地局装置ＣＳを決定する。（Ｆ１０２）。
【００３６】
なお、ハンドオーバ先無線基地局装置ＣＳの導出は、図４または図５に例を示したＣＳ位置情報テーブル１０に記載のハンドオーバ可能な複数の無線基地局装置ＣＳを選択し、さらにＣＳ残リソーステーブルを参照してＣＳ位置情報テーブル１０から選択したハンドオーバ可能な無線基地局装置ＣＳのうち残リソースの最も多い無線基地局装置ＣＳを選択することによって決定してもよい。
【００３７】
処理Ｆ１０２において無線端末装置ＰＳのハンドオーバ先無線基地局装置ＣＳが決定されると（例えば、ハンドオーバ先無線基地局装置をＣＳ２とする）、無線端末装置ＰＳに対し、送受信部Ｐ１１を介して無線基地局装置ＣＳ２へハンドオーバすることを指示する（Ｆ１０３）。その後、無線基地局制御装置１に備えられた呼接続手段６は、ハンドオーバ先無線基地局装置ＣＳ２と無線基地局制御装置との呼接続処理を行い（Ｆ１０４）、無線端末装置ＰＳと無線基地局装置ＣＳ２との呼が接続されると、無線基地局装置ＣＳ２からハンドオーバ成功通知を送受信部Ｐ１１が受信する（Ｆ１０５）。
【００３８】
ハンドオーバ先無線基地局装置ＣＳ２が、ＣＳ位置情報テーブル１０に記載されているかを判断し（Ｆ１０６）、記載されていれば、ＣＳ位置情報テーブル１０の該当無線基地局情報（本実施例では無線基地局装置ＣＳ２の情報）の選択回数または選択率を更新し、その数値が高い順にソートする（Ｆ１０８）。記載されていなければ、選択回数または選択率の数値が高い順にソートされているＣＳ位置情報テーブルの末尾に無線基地局装置ＣＳ２の情報を追加する（Ｆ１０７）。
【００３９】
なお、無線基地局装置ＣＳ２の情報追加は、テーブルの末尾でなくてもよく、その場合は情報追加後、選択回数または選択率の数値の高い順にソートする。ＣＳ位置情報が無線基地局装置ＣＳの残リソース数であってもよく、その場合も、ＣＳ位置情報テーブルに記載されている場合は数値を更新して数値の高い順にソートし、ＣＳ位置情報テーブルに記載されていない場合は、ＣＳ位置情報テーブルの末尾に無線基地局装置ＣＳ２の情報を追加する。追加する際、ＣＳ位置情報テーブルの末尾でなくてもよく、その場合は情報の追加後に数値の高い順にソートする。ＣＳ位置情報テーブル１０の更新後は、ハンドオーバ待機状態にする。
【００４０】
以上より、無線基地局制御装置１がハンドオーバ先無線基地局装置ＣＳを選択して指示することにより、高速なハンドオーバが可能になるだけでなく、履歴が蓄積されるＣＳ位置情報テーブルからハンドオーバ先無線基地局装置ＣＳを選択して決定することすることにより、ハンドオーバ先を予測することができ、ハンドオーバ成功率が高まる。
【００４１】
また、ハンドオーバ先を無線基地局制御装置１が決定する際に、ハンドオーバ先として選択された無線基地局装置ＣＳの残リソースを、ＣＳ残リソーステーブルを参照して残リソースが有ることを確認して無線基地局装置ＣＳをハンドオーバ先と決定することにより、無線基地局装置ＣＳのトラフィック増大を防いだり、リソース不足によるハンドオーバの失敗を防いだりすることも可能である。その結果として、ハンドオーバの成功率を高めることができる。
【００４２】
（変形例１−１）  実施例１では、無線基地局装置ＣＳが無線端末装置ＰＳから受信する電波強度を計測し、計測した電波強度を無線基地局制御装置１へ通知して、無線基地局制御装置１がハンドオーバ契機を検出してハンドオーバ先を決定する場合を示した。しかし、ハンドオーバ契機の検出は、無線基地局装置ＣＳが行ってもよい。
【００４３】
そのため、ここでは無線基地局装置ＣＳが無線端末装置ＰＳから受信する電波強度を計測するとともにその電波強度によってハンドオーバ契機を検出する場合について説明する。
【００４４】
移動通信システムＳの実施の形態を示すシステム全体図、無線基地局制御装置１の構成、ＣＳ位置情報テーブル１０、およびＣＳ残リソーステーブルは実施例１と同様であり、同一符号を付して説明を省略する。
【００４５】
図９は、移動通信システムＳの構成を示す機能ブロック図を示したものである。
【００４６】
図９において、無線端末装置ＰＳには、呼を接続するための呼接続手段６および無線基地局装置ＣＳから送られてくる情報を受信する受信手段６ａが設けられている。無線基地局制御装置１には、呼を接続するための呼接続手段６と、ハンドオーバ先を決定しハンドオーバを指示するハンドオーバ制御手段９と、無線基地局装置の隣接基地局装置の位置情報を記憶するＣＳ位置情報テーブル１０と、ＣＳ位置情報テーブルやＣＳ残リソーステーブルを更新する等の管理を行うＣＳ情報管理手段１１とが設けられ、無線基地局装置ＣＳには呼を接続するための呼接続手段６と、無線端末装置ＰＳからの電波強度を計測する電波強度計測手段７と、ハンドオーバの契機を検出するハンドオーバ契機検出手段８とが設けられ、無線基地局装置ＣＳの主導により無線端末装置ＰＳのハンドオーバを実現する。無線基地局装置１と無線基地局装置ＣＳの間の接続は、本実施例では有線で接続されている（無線であってもよい）。本実施例の無線基地局制御装置１は、ゲートウェイ装置を用いて構成することができる。
【００４７】
図１０は、図９に示したシステム構成におけるハンドオーバのシーケンスを示したものである。
【００４８】
無線基地局装置ＣＳ１と無線端末装置ＰＳとが、無線基地局装置ＣＳ1と無線基地局制御装置とが、それぞれ呼接続されているとき（Ｓ２０１、Ｓ２０２）、無線基地局装置ＣＳ１が受信する無線端末装置ＰＳの電波強度を無線基地局装置ＣＳ１が計測する。電波強度計測手段７によって計測された電波強度のデータより無線基地局装置ＣＳ１に備えられたハンドオーバ契機検出手段８によって第一の電波強度閾値を下回った（Ｓ２０３）か否かを判断し、ハンドオーバの契機を検出する。無線基地局装置ＣＳ１は、受信する無線端末装置ＰＳの電波強度低下によるハンドオーバ契機を検出したことを示すデータを無線基地局制御装置１へ送信する（Ｓ２０４）。
【００４９】
無線基地局制御装置１がハンドオーバ契機を検出したことを示すデータを受信した後は、実施例１の処理Ｓ１０５から処理Ｓ１１２までと同様の処理Ｓ２１５から処理Ｓ２１２を行う。
【００５０】
以上のように、実施例１と同様に、無線基地局制御装置１がハンドオーバ先ＣＳハンドオーバを決定して指示することにより、高速なハンドオーバが可能になるだけでなく、履歴が蓄積されるＣＳ位置情報テーブルからハンドオーバ先無線基地局装置ＣＳを選択して決定することすることにより、ハンドオーバ先を予測することができ、ハンドオーバ成功率が高まる。
【００５１】
また、ハンドオーバ先を無線基地局制御装置１が決定する際に、ハンドオーバ先として選択された無線基地局装置ＣＳの残リソースを、ＣＳ残リソーステーブルを参照して残リソースが有ることを確認して無線基地局装置ＣＳをハンドオーバ先と決定することにより、無線基地局装置ＣＳのトラフィック増大を防いだり、リソース不足によるハンドオーバの失敗を防いだりすることも可能である。その結果として、ハンドオーバの成功率を高めることができる。
【００５２】
（変形例１−２）
変形例１−１では、無線基地局装置ＣＳが無線端末装置ＰＳから受信する電波強度を計測するとともにその電波強度によってハンドオーバ契機を検出する場合について示した。しかし、ハンドオーバ契機の検出は、無線端末装置ＰＳが行ってもよい。
【００５３】
そのため、ここでは無線端末装置ＰＳが無線基地局装置ＣＳから受信する電波強度を計測するとともにその電波強度によってハンドオーバ契機を検出し、無線基地局装置ＣＳを介して無線基地局制御装置へハンドオーバ契機を検出したことを通知する場合について説明する。
【００５４】
移動通信システムＳの実施の形態を示すシステム全体図、無線基地局制御装置１の構成、ＣＳ位置情報テーブル１０、およびＣＳ残リソーステーブルは実施例１と同様であり、同一符号を付して説明を省略する。
【００５５】
図１１は、移動通信システムＳの構成を示す機能ブロック図を示したものである。
【００５６】
図１１において、無線端末装置ＰＳには、呼を接続するための呼接続手段６と、無線基地局装置ＣＳから送られてくる情報を受信する受信手段６ａと、無線基地局装置ＣＳから受信する電波の強度を計測する電波強度計測手段７と、ハンドオーバの契機を検出するハンドオーバ契機検出手段８とが設けられ、無線基地局制御装置１には、呼を接続するための呼接続手段６と、ハンドオーバ先を決定しハンドオーバを指示するハンドオーバ制御手段９とが設けられ、無線基地局装置ＣＳには呼を接続するための呼接続手段６が設けられ、無線端末装置ＰＳが自らの無線端末装置ＰＳのハンドオーバ契機を検出し、ハンドオーバ先を無線基地局制御装置１が決定して指示することでハンドオーバを実現する。無線基地局装置１と無線基地局装置ＣＳの間の接続は、本実施例では有線で接続されている（無線であってもよい）。本実施例の無線基地局制御装置１は、ゲートウェイ装置を用いて構成することができる。
【００５７】
図１２は、図１１に示したシステム構成におけるハンドオーバのシーケンスを示したものである。
【００５８】
無線基地局装置ＣＳ１と無線端末装置ＰＳとが、無線基地局装置ＣＳ1と無線基地局制御装置とが、それぞれ呼接続されているとき（Ｓ３０１、Ｓ３０２）、無線端末装置ＰＳが無線基地局装置ＣＳ１から受信する電波の強度を計測する。ハンドオーバ契機検出手段８は、電波強度計測手段７によって計測された電波強度のデータが第一の電波強度閾値を下回った（Ｓ３０３）か否かを判断し、ハンドオーバの契機を検出する。無線端末装置ＰＳは、ハンドオーバ契機を検出したことを示すデータを無線基地局装置ＣＳ１を介して無線基地局制御装置１へ送信する（Ｓ３０４）。
【００５９】
無線基地局制御装置１がハンドオーバ契機を検出したことを示すデータを受信した後は、実施例１の処理Ｓ１０５から処理Ｓ１１２までと同様の処理Ｓ３０５から処理Ｓ３１２を行う。
【００６０】
以上のように、無線端末装置ＰＳが受信する無線基地局装置ＣＳ１からの電波の強度によって無線端末装置ＰＳがハンドオーバ契機を検出しても、実施例１と同様にハンドオーバ先を無線基地局制御装置１が選択して決定しハンドオーバを指示することで、高速なハンドオーバが実現可能である。
【実施例２】
【００６１】
実施例１では、無線基地局装置ＣＳが無線端末装置ＰＳから受信する電波の強度を計測し、計測した電波強度を無線基地局制御装置１へ通知して、無線基地局制御装置１がハンドオーバ契機を検出してハンドオーバ先を決定する場合を示した。しかし、ハンドオーバを実施するハンドオーバ契機を検出してからハンドオーバ先の決定を行うのでは、ハンドオーバ処理に時間がかかる。
【００６２】
そのため、実施例２では無線基地局装置ＣＳが無線端末装置ＰＳから受信する電波の強度を計測し、ハンドオーバを実施する電波強度よりも若干高い電波強度まで低下した場合に、ハンドオーバを準備しておく場合について説明する。
【００６３】
移動通信システムＳの実施の形態を示すシステム全体図、無線基地局制御装置１の構成、ＣＳ位置情報テーブル１０、およびＣＳ残リソーステーブルは実施例１と同様であり、同一符号を付して説明を省略する。また、システム構成については、図３または図９と同様であり、ハンドオーバ契機検出手段８は、電波強度に応じてハンドオーバを準備する契機（ハンドオーバ準備契機）も検出する。
【００６４】
図１３に本発明の一実施例である無線基地局装置ＣＳが受信する無線端末装置ＰＳの電波の強度とハンドオーバの関係を示す。
【００６５】
縦軸は無線基地局装置ＣＳが受信する無線端末装置ＰＳからの電波強度であり、横軸は時間を示している。無線端末装置ＰＳが無線基地局装置ＣＳから遠ざかるような移動に伴い、無線基地局装置ＣＳが受信する無線端末装置ＰＳからの電波強度は図１３に示すように低下する。無線基地局装置ＣＳが受信する無線端末装置ＰＳからの電波強度が、ハンドオーバを実施する必要がある電波強度（ハンドオーバ実施電波強度）まで低下すると、ハンドオーバ契機を検出するようになっている。また、ハンドオーバを実施する電波強度より若干高い電波強度（ハンドオーバ準備電波強度）まで低下したことを無線基地局装置ＣＳが検出すると、無線基地局制御装置１とハンドオーバ先の無線基地局装置ＣＳとの間の呼接続を開始するようになっている。
【００６６】
次に、図１３および図１４を参照して、ハンドオーバを予測してハンドオーバするまでの、無線基地局制御装置１と無線基地局装置ＣＳ２との呼接続を含めたシーケンスを示す。
【００６７】
図１４は、ハンドオーバ契機およびハンドオーバ準備契機の検出を、無線基地局装置ＣＳが行う場合、すなわち、図９に示したシステム構成の場合である。
【００６８】
まず、図１３に示すようにハンドオーバを実施する電波強度閾値より若干強いレベルにハンドオーバ準備値である第二の電波強度閾値（ハンドオーバ準備電波強度）を設け、電波強度が第二の電波強度閾値を下回る（Ｓ４０３）と、無線基地局装置ＣＳに備えられたハンドオーバ契機検出手段８は無線端末装置ＰＳの電波強度が第二の電波強度閾値を下回ったことの通知を無線基地局制御装置１へ通知する（Ｓ４０４）。無線基地局制御装置１がその通知を受信すると、ＣＳ位置情報テーブルを参照して選択し、ハンドオーバ先無線基地局ＣＳを決定する（Ｓ４０５）。本実施例では、ハンドオーバ先が無線基地局装置ＣＳ２であるとして説明する。
【００６９】
決定されたハンドオーバ先である無線基地局装置ＣＳ２と無線基地局制御装置１との間の呼接続を開始させる要求を無線基地局装置ＣＳ２へ送信（Ｓ４０６）し、無線基地局装置ＣＳ２はその要求に応じたことの通知を無線基地局制御装置へ送信（Ｓ４０７）し、無線基地局装置ＣＳ２と無線基地局制御装置１との呼が接続される（Ｓ４０８）。第二の電波強度閾値の使用法としては、実施例１で述べた第一の電波強度閾値と同様に、第二の電波強度閾値以下または第二の電波強度閾値未満であることで判断してもよい。無線基地局装置ＣＳ１が受信する無線端末装置ＰＳの電波強度が第一の電波強度閾値（ハンドオーバ実施電波）を下回る（Ｓ４０９）と、第一の電波強度閾値を下回り、ハンドオーバ契機を検出したことの通知を無線基地局装置ＣＳ１から無線基地局制御装置１へ通知する（Ｓ４１０）。
【００７０】
無線基地局制御装置１は、ハンドオーバ契機になったことの通知を受信すると、無線端末装置ＰＳに対し無線基地局装置ＣＳ２へハンドオーバすることを指示する（Ｓ４１１）。ハンドオーバを指示された無線端末装置ＰＳは、無線基地局装置ＣＳ２に接続要求（Ｓ４１２）をし、それを受信した無線基地局装置ＣＳ２は接続を応答した通知を無線端末装置ＰＳへ送信し（Ｓ４１３）、無線端末装置ＰＳと無線基地局装置ＣＳ２との呼が接続される（Ｓ４１４）。すると、無線基地局装置ＣＳ２は無線基地局制御装置１へハンドオーバ成功通知を送信する（Ｓ４１５）。ハンドオーバ成功通知を無線基地局制御装置が受信すると、実施例１と同様にＣＳ情報管理手段１１によってＣＳ位置情報テーブルが更新される（Ｓ４１６）。
【００７１】
なお、ここでは図９のシステム構成の場合についてシーケンスを説明したが、図３のシステム構成の場合、すなわち、ハンドオーバ契機検出手段８が無線基地局制御装置１に備えられている場合は、処理Ｓ４０４、Ｓ４０５、Ｓ４１０以外の処理は図９のシステム構成の場合のシーケンスと同様である。ハンドオーバ契機検出手段８が無線基地局制御装置１に備えられている場合、処理Ｓ４０４では、無線基地局装置ＣＳが計測した無線端末装置ＰＳからの電波の強度を無線基地局制御装置１へ通知する。処理Ｓ４０５では、通知された電波強度によってハンドオーバ契機を検出し、ハンドオーバ先を決定する。処理４１０では、無線基地局装置ＣＳが計測した無線端末装置ＰＳからの電波の強度を無線基地局制御装置１へ通知する。
【００７２】
図１５は、無線基地局制御装置１が行うハンドオーバ先を決定する処理を示すフローチャートである。
【００７３】
無線端末装置ＰＳと無線基地局装置ＣＳ１とを呼接続する電波強度が、図１３に示す第一の電波強度より若干高い値である第二の電波強度閾値を下回り、ハンドオーバ準備契機となったことを無線基地局制御装置１の送受信部Ｐ１１が受信（Ｆ２０１）すると、受信データ処理部Ｐ１２ａへデータが送られ、ハンドオーバ先無線基地局装置選択部Ｐ１２ｂはメモリＰ１３に記憶されているＣＳ位置情報テーブル１０を参照して無線端末装置ＰＳのハンドオーバ先無線基地局装置ＣＳを決定する（Ｆ２０２）。例えば、ハンドオーバ先が無線基地局装置ＣＳ２に決定されたとすると、無線基地局装置ＣＳ２と無線基地局制御装置１との呼を接続する（Ｆ２０３）。その後、無線基地局装置ＣＳ１が受信する無線端末装置ＰＳの電波強度が第一の電波強度閾値を下回り、ハンドオーバ契機となったことを受信する（Ｆ２０４）と、無線端末装置ＰＳに対し無線基地局装置ＣＳ２へハンドオーバすることを送受信部Ｐ１１を介して指示する（Ｆ２０５）。ハンドオーバ成功通知を無線基地局装置ＣＳ２から送受信部Ｐ１１を介して受信する（Ｆ２０６）と、無線基地局装置ＣＳ２の情報がＣＳ位置情報テーブル１０に記載されているか判断（Ｆ２０７）する。以降の手順は、実施例１で説明した図８の処理Ｆ１０８以降と同様である。
【００７４】
（変形例２−１）
実施例２では、ハンドオーバ契機およびハンドオーバ準備契機の検出を無線基地局装置ＣＳまたは無線基地局制御装置１が行う場合を示した。しかし、それらの検出は、無線端末装置ＰＳで行うこともできる。  
ここでは、ハンドオーバ契機およびハンドオーバ準備契機の検出を、無線端末装置ＰＳが行う場合、すなわち、図１１に示したシステム構成の場合について説明する。
【００７５】
図１６は、ハンドオーバ契機およびハンドオーバ準備契機の検出を、無線端末装置ＰＳが行う場合の移動通信システムＳのシーケンス図である。
【００７６】
まず、図１６に示すようにハンドオーバを実施する電波強度閾値より若干強いレベルにハンドオーバ準備値である第二の電波強度閾値を設け、電波強度が第二の電波強度閾値を下回る（Ｓ５０３）と、無線基地局装置ＣＳからの電波の強度が第二の電波強度閾値を下回り、ハンドオーバ準備契機となったことの通知を無線基地局装置ＣＳを介して無線基地局制御装置１へ送信する（Ｓ５０４）。無線基地局制御装置１がその通知を受信すると、ＣＳ位置情報テーブルを参照してハンドオーバ先の無線基地局装置ＣＳを選択し、ハンドオーバ先無線基地局ＣＳを決定する（Ｓ５０５）。本実施例では、ハンドオーバ先が無線基地局装置ＣＳ２であるものとする。
【００７７】
決定されたハンドオーバ先である無線基地局装置ＣＳ２と無線基地局制御装置１の間の呼接続を開始させる要求を無線基地局装置ＣＳ２へ送信（Ｓ５０６）し、その要求に応じたことの通知を無線基地局装置ＣＳ２は無線基地局制御装置へ送信（Ｓ５０７）し、無線基地局装置ＣＳ２と無線基地局制御装置１との呼が接続される（Ｓ５０８）。
【００７８】
無線端末装置ＰＳが受信する無線基地局装置ＣＳ１からの電波の強度が第一の電波強度閾値を下回る（Ｓ５０９）と、ハンドオーバ契機となったことの通知を無線基地局装置ＣＳ１から無線基地局制御装置１へ送信する（Ｓ５１０）。無線基地局制御装置１は、ハンドオーバ契機となったことの通知を受信すると、無線端末装置ＰＳに対し無線基地局装置ＣＳ２にハンドオーバせよと要求する（Ｓ５１１）。以降の処理は、実施例２の処理Ｓ４１２以降と同様であるため、説明を省略する。
【００７９】
以上のように、無線基地局制御装置１がＣＳ位置情報テーブルを参照してハンドオーバ先無線基地局装置ＣＳを選択し、ハンドオーバ先を決定することによって高速なハンドオーバが可能になるだけでなく、ハンドオーバ準備を行うことで、ハンドオーバ実施時には予めハンドオーバ先である無線基地局装置ＣＳと無線基地局制御装置１との間の接続がされており、従来技術や実施例１と比較して、ハンドオーバ要求からハンドオーバまで少ない手順でハンドオーバを実現できる。また、ハンドオーバ先の無線基地局装置ＣＳをＣＳ残リソーステーブルを参照して決定するため、更に高速なハンドオーバが可能であり、シームレスなハンドオーバを実現できる。
【００８０】
なお、本発明は、以上の構成に限定されるものではなく、種々の変形が可能である。例えば、電波強度計測手段７は無線端末装置ＰＳまたは無線基地局装置ＣＳのどちらに備えられていてもよく、ハンドオーバ契機検出手段８は、無線端末装置ＰＳ、無線基地局装置ＣＳ、または無線基地局制御装置１の何れに備えられていてもよい。さらに、電波強度計測手段７とハンドオーバ契機検出手段８を備える装置の組み合わせは、上記の何れを組み合わせてもよい。加えて、実施例２では、ハンドオーバ準備契機の検出をハンドオーバ契機検出手段８が行うように構成したが、ハンドオーバ準備契機の検出は、ハンドオーバ契機検出手段８とは別に構成してもよく、ハンドオーバ準備契機の検出を行う手段とハンドオーバ契機検出手段８はとは、異なる装置に備えられていてもよい。
【００８１】
これらの他、実施例１および実施例２では、ハンドオーバ契機を判断する基準を、無線端末装置ＰＳが無線基地局装置ＣＳから受信する電波強度、または無線基地局装置ＣＳが無線端末装置ＰＳから受信する電波強度として説明したが、この基準は、電波強度の代わりに、通信品質を示す指標であるエラーレートを用いてもよい。具体的には、無線端末装置ＰＳが無線基地局装置ＣＳから受信する信号のエラーレート、または無線基地局装置ＣＳが無線端末装置ＰＳから受信する信号のエラーレートであってもよい。この場合、無線基地局装置ＣＳまたは無線端末装置ＰＳに備えられている電波強度計測手段７は、エラーレート計測手段に置き換わり、ハンドオーバ契機検出手段８は、エラーレートが高くなるとハンドオーバ準備契機またはハンドオーバ契機となったことを判断する。このように、ハンドオーバ契機を判断する基準をエラーレートとすることによって、実際の通信品質に応じてハンドオーバが必要であるか否かを判断することができる。
【図面の簡単な説明】
【００８２】
【図１】本発明の一実施例に係るシステム構成図。
【図２】本発明の一実施例に係る移動通信システムの無線基地局制御装置の構成を示すブロック図。
【図３】本発明の一実施例に係るシステム構成手段の機能ブロック図。
【図４】本発明の一実施例に係る無線基地局制御装置に備えられた、ＣＳ位置情報がハンドオーバ選択率である場合のＣＳ位置情報テーブルの一例。
【図５】本発明の一実施例に係る無線基地局制御装置に備えられた、ＣＳ位置情報がハンドオーバ選択回数である場合のＣＳ位置情報テーブルの一例。
【図６】本発明の一実施例に係る無線基地局制御装置に備えられた、無線基地局装置の残リソースを示すＣＳ残リソーステーブルの一例。
【図７】本発明の一実施例に係るハンドオーバ実施時のシーケンス図。
【図８】本発明の一実施例に係るハンドオーバ予測および実施の際の移動通信システム用プログラムのフローチャート
【図９】本発明の変形例１−１に係るシステム構成手段の機能ブロック図。
【図１０】本発明の変形例１−１に係るハンドオーバ実施時のシーケンス図。
【図１１】本発明の変形例１−２に係るシステム構成手段の機能ブロック図。
【図１２】本発明の変形例１−２に係るハンドオーバ実施時のシーケンス図。
【図１３】本発明の実施例２に係るＰＳからＣＳが受信する電波強度とハンドオーバの関係図。
【図１４】本発明の実施例２に係るハンドオーバ実施の際の移動通信システム用プログラムのシーケンス図。
【図１５】本発明の実施例２に係るハンドオーバ予測および実施の際の移動通信システム用プログラムのフローチャート。
【図１６】本発明の変形例２−１に係るハンドオーバ実施の際の移動通信システム用プログラムのシーケンス図。
【符号の説明】
【００８３】
ＣＳ１、ＣＳ２、ＣＳ３、ＣＳｌ、ＣＳｍ、ＣＳｎ、ＣＳｋ…無線基地局装置、ＰＳ…無線端末装置、１…無線基地局制御装置、２…ＩＰ網、３…公衆網、４…インターネット、５…固定電話機、６…呼接続手段、６ａ…受信手段、７…電波強度計測手段、８…ハンドオーバ契機検出手段、９…ハンドオーバ制御手段、１０…ＣＳ位置情報テーブル、１１…ＣＳ情報管理手段、Ｐ１２…ＣＰＵ、Ｐ１２ａ…受信データ処理部、Ｐ１２ｂ…ハンドオーバ先無線基地局装置選択部、Ｐ１３…メモリ、Ｐ１３ａ…ＣＳ位置情報テーブル記憶部、Ｐ１３ｂ…ＣＳ残リソーステーブル記憶部
【図１】
0004891959.tif 000002
【図２】
0004891959.tif 000003
【図３】
0004891959.tif 000004
【図４】
0004891959.tif 000005
【図５】
0004891959.tif 000006
【図６】
0004891959.tif 000007
【図７】
0004891959.tif 000008
【図８】
0004891959.tif 000009
【図９】
0004891959.tif 000010
【図１０】
0004891959.tif 000011
【図１１】
0004891959.tif 000012
【図１２】
0004891959.tif 000013
【図１３】
0004891959.tif 000014
【図１４】
0004891959.tif 000015
【図１５】
0004891959.tif 000016
【図１６】
0004891959.tif 000017